(57)【要約】【課題】  広告効果が期待できる新たな広告媒体を提供する。【解決手段】  荷物預り用タグ１０はタグ本体１と半券部２とを備える。両者の間にはミシン目３が形成されている。夜行バス等で乗客の荷物を預るとき、ここで破断して半券部が乗客へ渡される。タグ本体は紐４で荷物に係合される。タグ本体には広告５を掲載（この内容は架空）。到着地で荷物は乗客へ返却。タグ本体は通常荷物に係合された儘である。夜行バスから降り、例えば自宅へ向う間や自宅で、乗客はこのタグ本体に目を向ける可能性が大。今までこのようなものに広告が付されていた例無し。これを目にした乗客は、その新鮮さ、斬新さに触発され、無意識のうちに荷物預り用タグに着目。そこに掲載されている広告を注視する。これで所望の広告効果が期待できる。このタグには割引情報６も掲載されている（これも架空）。【選択図】図１
2010256640.tif 000002
【特許請求の範囲】
【請求項１】
預けられた物品へ係合する為の係合手段を備え、預けた人に保持される控片の符号に対応する符号が付されており、所要の広告が掲載されている
ことを特徴とする物品預り用タグ。
【請求項２】
使用前はタグ本体と控片とが結合されており、物品を預る際に両者が切離され、タグ本体が物品に係合され、控片が物品を預ける人に渡される
ことを特徴とする請求項１に記載の物品預り用タグ。
【請求項３】
更に割引き情報が掲載されている
ことを特徴とする請求項１又は請求項２記載の物品預り用タグ。
【発明の詳細な説明】
【技術分野】
【０００１】
本発明は物品預り用タグに関し、例えば夜行バスの乗客から荷物を預る際に使用される物品預り用タグに関する。
【背景技術】
【０００２】
我々の身の回りでは、種々の事業（営業）が展開されている。法人にしろ、個人にしろ、これら事業を実施するに当っては、適時、的確な広告（宣伝）が必要になる。
広告の手法は、言うまでもなく種々存在する。テレビＣＭ、ラジオＣＭ、新聞紙面や雑誌誌面での広告、新聞折込みチラシ、インターネットでの広告、お店や街頭の看板、バスの車体や飛行機の機体等での表示、その他種々存在する（テレビはテレビジョンの略。ＣＭは広告の略。）。
【０００３】
広告は効果があってこそ費用や人手を掛ける意義がある。それには考慮しなければならない課題がある。広告業ではないから正確なところは判らないが、素人なりに想定できる課題として、規模、内容、媒体の選択がある。
即ち、広告の規模としては、広告を出す回数、期間などが挙げられる。テレビだけにするとか、ラジオ、新聞も加えるとかがある。使用する媒体の数も広告の規模の一種であろう。これらは、事業の規模，内容，費用対効果などに応じて定められる。
【０００４】
広告の内容については、映像，アニメーションに関して、筋書きや使用される音楽の是非などが挙げられる。新聞や雑誌、チラシに関しては、キャッチコピー、掲載する画像、レイアウトなどが挙げられる。広告の内容に関しては、新鮮さ、斬新さ、奇抜さなどが求められる。通り一遍の内容では、需要者の印象に残りにくい。
広告媒体の選択に関しては、上記例示したような媒体の、どれとどれとを使用するか、といった検討事項がある。これも、事業の規模や内容、費用対効果など、種々勘案して定められる。
【０００５】
広告媒体に関しては、興味深い性質がある。それは、広告媒体がその新しさや新鮮さ、斬新さだけで需要者に強い印象を与えることである。アレッ、こんなところにこんな広告が…、そのように需要者が感じれば、それだけで需要者の記憶に残る。かなりの広告効果が期待できる。この点に関連した先願として、例えば下記特許文献がある。
【先行技術文献】
【特許文献】
【０００６】
【特許文献１】特開２００２−１７８６６７号公報
【特許文献２】実用新案登録第３１４４１６５号公報
【発明の概要】
【発明が解決しようとする課題】
【０００７】
出願人会社は、所定の事業を実施している。この事業について、より効果的な広告をするべく、かねてより検討を重ねて来た。
その過程に於て、事業で使用している荷物預り用タグが、広告媒体として有用であることが明らかとなって来た。これが本願発明の案出に繋がった。
【課題を解決するための手段】
【０００８】
請求項１の物品預り用タグでは、預けられた物品へ係合する為の係合手段を備え、預けた人に保持される控片の符号に対応する符号が付されており、所要の広告が掲載されている。
請求項１を引用する請求項２の物品預り用タグでは、使用前はタグ本体と控片とが結合されており、物品を預る際に両者が切離され、タグ本体が物品に係合され、控片が物品を預ける人に渡される。
請求項１又は請求項２を引用する請求項３の物品預り用タグでは、更に割引き情報が掲載されている。
【発明の効果】
【０００９】
本願発明に係る物品預り用タグは、例えば夜行バスに於て、乗客の荷物預りに使用される。到着地で荷物が乗客に返されると、この物品預り用タグも、その荷物に係合された儘、運ばれて行く。この為、例えば夜行バスから降りて自宅なり目的地なりに向う間、乗客はこの物品預り用タグに目を向ける可能性が高い。
今まで、このようなものに広告が付されていた例は無い。従って、本願物品預り用タグを目にした乗客は、その新鮮さ、斬新さに触発され、無意識のうちに本願物品預り用タグに着目する。自然のうちにそこに記載されている広告を見る。これで所望の広告効果が期待できる。
【図面の簡単な説明】
【００１０】
【図１】本発明の一実施の形態例を示す正面図。
【発明を実施するための形態】
【００１１】
図１に、本願発明の一実施の形態例である荷物預り用タグ１０を示す。この荷物預り用タグ１０は、タグ本体１と半券部２とを有する。両者の間にはミシン目３が形成されている。このミシン目３を破断すると、半券２がタグ本体１から切り離される。タグ本体１には紐４が係合されており、夜行バス等に乗車する乗客が、運転手等に荷物を預けると、運転手等が、預った荷物にこの紐４を係合する。そして、車体下部のトランクに収納する。
【００１２】
切離された半券２は、荷物の所有者たる乗客に渡される。言うまでもなく、タグ本体１と半券２には同じ符号が記載されている。ここでは数字を使用している（５００２５）。これが一番単純だからだが、符号はアルファベット、その他何でも良い。両者が同一である必要は無く、タグ本体１と半券２の対応が取れれば良い。
目的地へ着いて、乗客がこの半券２を提示すると、その半券２と同一番号のタグ本体１が探し出され、それが連結されている荷物が取出されて、タグ本体を付けたまま乗客に返却される。
【００１３】
タグ本体１には、所望の広告５が掲載されている（図１の内容は架空。）。夜行バスから降りて自宅なり目的地なりに向う間、或いは自宅に到着したあと、乗客はこのタグ本体１に目を向ける可能性が高い。
今まで、このタグ本体１の如きものに広告が付されていた例は無い。従って、タグ本体１の広告５を目にした乗客は、その新鮮さ、斬新さに触発され、無意識のうちにこのタグ本体１に着目し、そこに記載されている広告を見る。これによって、所定の広告効果が期待できる。
タグ本体１には、割引情報６も掲載されている（これも架空。）。ここに掲載されているお店にこのタグ本体を持参すれば、ここに掲載されている料理等を割引き価格で飲食できる。
【００１４】
なお、本願発明に係る物品預り用タグが使用される場面は、上記夜行バスでの荷物預りには限られない。ホテルクロークでの荷物預り、催し物会場での荷物預りなどにも適用できる。また荷物以外の物品を預って、その依頼者に半券を渡し、それを手掛かりにして、後でその物品を返却する、そういう場面にも適用可能である。
また、半券２とタグ本体１の結合の仕方はミシン目に限らない。例えば、折目であっても良い。半券２を別体とし、その裏に粘着剤を塗布し、タグ本体１に貼付するようにしても良い。但し、ミシン目３による形式が、製造コストは安い。
更には、半券２に相当するものを、本体１とは別のものにしても良い。バスの乗客のように人数が決っている場合は、小さなプラスチック板に番号を付したものを用意し、これを半券代りにして乗客等に渡すようにしても良い。
【００１５】
実施の形態例１０のように割引き情報６をも掲載すると、タグ本体１は割引券としても機能する。即ち、実施の形態例１０は、請求項３の発明の構成を全部備えており、その一実施の形態例となる。
実施の形態例１０から割引き情報６を削除した場合が、請求項２の発明の一実施の形態例となる。
割引き情報６及び半券２を省略した場合が、請求項１の発明の一実施の形態例となる。
【００１６】
念の為、実施の形態例と請求項とで呼称が違うものについて、対応関係を説明しておく。実施の形態例の荷物預り用タグ１０が請求項に言う物品預り用タグに当る。同様に、紐４が係合手段に当る。また、半券２が控片に当る。なお、係合手段は紐４に限らない。細い針金、樹脂製の電線結束バンド、その他物品預り用タグを物品に係合可能なものなら何でも良い。
【符号の説明】
【００１７】
１０…荷物預り用タグ
１…タグ本体
２…半券部
３…ミシン目
４…紐
５…広告
６…割引情報
【図１】
2010256640.tif 000003